(57)【要約】【課題】ユーザの行動サイクルに則した献立を提示するとともに、効果の高い広告をすることができる電子献立プログラム及び電子献立サーバを提供する。【解決手段】料理の材料リスト及び調理方法含む献立情報、並びに広告情報を記憶した電子献立サーバ３０と通信可能な電子献立プログラム１０であって、スマートフォン１に、電子献立サーバ３０から献立情報を取得する献立取得機能１１と、献立情報をタッチパネルに表示する献立表示機能１４と、タッチパネルに表示された献立情報のうちタッチパネルを介して選択されたものを被選択献立情報として取得する献立選択機能１２と、電子献立サーバ３０から広告情報を取得する広告取得機能１３とを実現させ、献立表示機能１４は、被選択献立情報の材料リスト及び調理方法を個別に表示可能であり、前記広告情報とともに当該材料リストを出力手段に表示する。【選択図】図２
2014010716.tif 000002
【特許請求の範囲】
【請求項１】
料理の材料リスト及び調理方法を含む献立情報、並びに広告情報を記憶した電子献立サーバと通信可能な電子献立プログラムであって、
コンピュータに、
前記電子献立サーバから前記献立情報を取得する献立取得機能と、
前記献立情報を出力手段に表示する献立表示機能と、
前記出力手段に表示された前記献立情報のうち入力手段を介して選択されたものを被選択献立情報として取得する献立選択機能と、
前記電子献立サーバから前記広告情報を取得する広告取得機能とを実現させ、
前記献立表示機能は、前記被選択献立情報の材料リスト及び調理方法を個別に表示可能であり、前記広告情報とともに当該材料リストを出力手段に表示する
ことを特徴とする電子献立プログラム。
【請求項２】
請求項１に記載する電子献立プログラムにおいて、
前記電子献立サーバに記憶された広告情報は、前記献立情報に含まれる料理に関係する情報であり、
前記広告取得機能は、前記被選択献立情報に関係する広告情報を前記電子献立サーバから取得する
ことを特徴とする電子献立プログラム。
【請求項３】
請求項１又は請求項２に記載する電子献立プログラムにおいて、
前記献立表示機能は、前記材料リストに含まれる個々の材料を出力手段に表示し、入力手段により各材料が選択されたときに、該材料が選択されたことを出力手段に表示する
ことを特徴とする電子献立プログラム。
【請求項４】
請求項１〜請求項３の何れか一項に記載する電子献立プログラムにおいて、
前記被選択献立情報に含まれる料理の調理方法は、調理の段階ごとに細分された複数の工程から構成され、
前記献立表示機能は、前記各工程を出力手段に順次表示する際に、音声入力手段により入力された音声が特定の語であることを条件に、次の工程を出力手段に表示する
ことを特徴とする電子献立プログラム。
【請求項５】
請求項１〜請求項４の何れか一項に記載する電子献立プログラムにおいて、
前記被選択献立情報を記録して献立情報履歴を作成する履歴作成機能と、
前記献立情報履歴を出力手段に表示する履歴表示機能とを実現させる
ことを特徴とする電子献立プログラム。
【請求項６】
請求項５に記載する電子献立プログラムにおいて、
前記広告取得機能は、前記献立情報履歴に基づいて取得する広告情報を決定する
ことを特徴とする電子献立プログラム。
【請求項７】
請求項５又は請求項６に記載する電子献立プログラムにおいて、
前記献立情報は、料理の栄養に関する情報が含まれ、
前記献立情報履歴として記録された被選択献立情報に含まれる栄養に基づいて献立情報を出力手段に表示する推奨献立表示機能を実現させる
ことを特徴とする電子献立プログラム。
【請求項８】
請求項１〜請求項７の何れか一項に記載する電子献立プログラムに、前記献立情報及び前記広告情報を送信可能に構成された電子献立サーバ。
【発明の詳細な説明】
【技術分野】
【０００１】
本発明は、電子献立プログラム及び電子献立サーバに関し、特に、電子献立プログラムのユーザに自社商品の販促をする場合に適用して有用なものである。
【背景技術】
【０００２】
献立に必要な材料の数量の合計を算出し、これを印刷したリストを使用者に教示する技術として、電子献立装置が知られている（例えば、特許文献１参照）。そのリストには、材料のカテゴリ別に各種材料が印刷されるため、買い物の際にそのリストを携帯すれば、売り場の歩き方に無駄がなく、また、買い損ねることが無いため効率的な買い物が可能となる。
【０００３】
ここで、使用者の行動に着目すると、まず、献立を立て、実際に買い物をし、献立にしたがって料理を作る。そして、過去の作った料理を考慮して次回の献立を立てる（例えば、昨日と同じ献立にしない、余った材料を用いる献立にするなど）といった行動サイクルがある。
【０００４】
しかしながら、特許文献１に示すような電子献立装置では、材料のリストを提示した後、すなわち、献立に必要な材料の買い物までを支援するものであり、上述した行動サイクルを支援するものではない。
【０００５】
一方、ユーザが所定期間に摂取した食事情報に基づいて、ユーザの栄養摂取状態に適した商品の広告を表示するプログラムが知られている（例えば、特許文献２参照）。
【０００６】
しかしながら、特許文献２に示すようなプログラムでは、ユーザの過去に摂取した食事を考慮しているものの、献立を立てる、買い物をするといったユーザの行動には結びついておらず、これらのユーザの行動を支援するものではない。
【０００７】
さらに、栄養摂取状態に適した商品の広告を表示するとしても、実際に購買するとは限らず、広告効果も限定的である。
【先行技術文献】
【特許文献】
【０００８】
【特許文献１】特開平８−１２３８５８号公報
【特許文献２】特開２０１０−１９１８６０号公報
【発明の概要】
【発明が解決しようとする課題】
【０００９】
本発明は、上記事情に鑑みてなされたものであり、ユーザの行動サイクルに則した献立を提示するとともに、効果の高い広告をすることができる電子献立プログラム及び電子献立サーバを提供することを目的とする。
【課題を解決するための手段】
【００１０】
上記課題を解決する本発明の第１の態様は、料理の材料リスト及び調理方法を含む献立情報、並びに広告情報を記憶した電子献立サーバと通信可能な電子献立プログラムであって、コンピュータに、前記電子献立サーバから前記献立情報を取得する献立取得機能と、前記献立情報を出力手段に表示する献立表示機能と、前記出力手段に表示された前記献立情報のうち入力手段を介して選択されたものを被選択献立情報として取得する献立選択機能と、前記電子献立サーバから前記広告情報を取得する広告取得機能とを実現させ、前記献立表示機能は、前記被選択献立情報の材料リスト及び調理方法を個別に表示可能であり、前記広告情報とともに当該材料リストを出力手段に表示することを特徴とする電子献立プログラムにある。
【００１１】
かかる第１の態様では、ユーザが献立を立て、その献立に必要な材料を買い、料理を作り、過去の作った料理を考慮して次回の献立を立てるといったユーザの行動サイクルに則して、献立情報をユーザに与えるものである。すなわち、電子献立プログラムは、ユーザが献立を選択するとき、材料の買い物をするとき、調理をするときのそれぞれに適した献立情報を表示する。これにより、ユーザは、献立の選択から、買い物をして料理を作るという行動サイクルを円滑に行うことができる。さらに、電子献立プログラムは、広告情報とともに材料リストを出力手段に表示するものである。これにより、ユーザがその広告情報に係る商品やサービスを購入する可能性が高まるため、広告情報に係る商品やサービスの宣伝効果を高めることができる。
【００１２】
本発明の第２の態様は、第１の態様に記載する電子献立プログラムにおいて、前記電子献立サーバに記憶された広告情報は、前記献立情報に含まれる料理に関係する情報であり、前記広告取得機能は、前記被選択献立情報に関係する広告情報を前記電子献立サーバから取得することを特徴とする電子献立プログラムにある。
【００１３】
かかる第２の態様では、電子献立プログラムは、ユーザが材料リストを見ながら売り場で材料を購入するという行動に着目し、この行動にあわせて広告情報を材料リストとともに出力手段に表示する。これにより、被選択献立情報に関する商品の販売をより一層促進することができる。
【００１４】
本発明の第３の態様は、第１又は第２の態様に記載する電子献立プログラムにおいて、前記献立表示機能は、前記材料リストに含まれる個々の材料を出力手段に表示し、入力手段により各材料が選択されたときに、該材料が選択されたことを出力手段に表示することを特徴とする電子献立プログラムにある。
【００１５】
かかる第３の態様では、材料の購入忘れを防止することができる。
【００１６】
本発明の第４の態様は、第１〜第３の何れか一つの態様に記載する電子献立プログラムにおいて、前記被選択献立情報に含まれる料理の調理方法は、調理の段階ごとに細分された複数の工程から構成され、前記献立表示機能は、前記各工程を出力手段に順次表示する際に、音声入力手段により入力された音声が特定の語であることを条件に、次の工程を出力手段に表示することを特徴とする電子献立プログラムにある。
【００１７】
かかる第４の態様では、音声認識により各工程を順次表示することができるので、コンピュータに表示された調理方法を確認しながら、コンピュータの操作に煩わされることなく調理に専念することができる。
【００１８】
本発明の第５の態様は、第１〜第４の何れか一つの態様に記載する電子献立プログラムにおいて、前記被選択献立情報を記録して献立情報履歴を作成する履歴作成機能と、前記献立情報履歴を出力手段に表示する履歴表示機能とを実現させることを特徴とする電子献立プログラムにある。
【００１９】
かかる第５の態様では、過去に選択した被選択献立情報を確認して、次に作ろうとする献立を選ぶ際の参考にすることができる。
【００２０】
本発明の第６の態様は、第５の態様に記載する電子献立プログラムにおいて、前記広告取得機能は、前記献立情報履歴に基づいて取得する広告情報を決定することを特徴とする電子献立プログラムにある。
【００２１】
かかる第６の態様では、過去の献立情報履歴を分析し、これに関係する広告情報を表示するので、そのユーザの嗜好に合った商品やサービスに関する広告情報を提供することができる。
【００２２】
本発明の第７の態様は、第５又は第６の態様に記載する電子献立プログラムにおいて、前記献立情報は、料理の栄養に関する情報が含まれ、前記献立情報履歴として記録された被選択献立情報に含まれる栄養に基づいて献立情報を出力手段に表示する推奨献立表示機能を実現させることを特徴とする電子献立プログラムにある。
【００２３】
かかる第７の態様では、過去の献立情報履歴を分析してユーザの栄養摂取状態を把握し、それを改善するような献立情報をユーザに提供することができる。
【００２４】
本発明の第８の態様は、第１〜第７の何れか一つの態様に記載する電子献立プログラムに、前記献立情報及び前記広告情報を送信可能に構成された電子献立サーバにある。
【００２５】
かかる第８の態様では、ユーザの行動サイクルに則した献立を提示するとともに、効果の高い広告をすることができる。
【発明の効果】
【００２６】
本発明に係る電子献立プログラム及び電子献立サーバによれば、ユーザの行動サイクルに則した献立を提示するとともに、効果の高い広告をすることができる電子献立プログラム及び電子献立サーバが提供される。
【図面の簡単な説明】
【００２７】
【図１】電子献立プログラムがインストールされたスマートフォンと電子献立サーバの概略図である。
【図２】電子献立プログラム及び電子献立サーバの機能ブロック図である。
【図３】電子献立プログラム及び電子献立サーバでの処理の流れを表すフロー図である。
【図４】電子献立プログラム及び電子献立サーバでの処理の流れを表すフロー図である。
【図５】献立情報の一覧表示の例である。
【図６】被選択献立情報の表示例である。
【図７】材料リスト及び広告情報の表示例である。
【図８】調理方法の表示例である。
【図９】音声認識により調理方法を表示するフロー図である。
【図１０】献立情報履歴の作成・表示に関するフローである。
【図１１】献立情報履歴の表示例である。
【発明を実施するための形態】
【００２８】
以下、本発明を実施するための形態について説明する。なお、実施形態の説明は例示であり、本発明は以下の説明に限定されない。
【００２９】
〈実施形態１〉
本発明の電子献立プログラムを利用するユーザは、献立を立て、その献立に必要な材料を買い、料理を作る。また、過去の作った料理を考慮して次回の献立を立てる。電子献立プログラムは、このようなユーザの行動サイクルに則して、献立情報を適宜ユーザに与えるものである。さらに、電子献立プログラムは、献立情報の提示に際して、献立情報に対応した広告、特に、自社商品に関する広告もユーザに提示するものである。
【００３０】
本実施形態では、コンピュータの一例として携帯情報端末、いわゆるスマートフォンを用いて説明する。図１は、電子献立プログラムがインストールされたスマートフォンと電子献立サーバの概略図である。
【００３１】
電子献立サーバ３０は、ＣＰＵ、ＲＡＭ、ハードディスク、入出力装置、通信手段を備えた一般的なコンピュータである。電子献立サーバ３０は、スマートフォン１とインターネットなどの通信手段を介してデータの送受信が可能になっている。
【００３２】
スマートフォン１は、ＣＰＵ、ＲＡＭ、フラッシュメモリ、タッチパネル、通信手段を備えた一般的な携帯情報端末である。
【００３３】
フラッシュメモリには、スマートフォン１の各種機能を実現するためのオペレーティングシステムがインストールされている。電源投入時に、オペレーティングシステムがＲＡＭに読み込まれ、ＣＰＵにより実行される。このオペレーティングシステムにより、フラッシュメモリにインストールされた電子献立プログラムがＲＡＭに読み込まれ、ＣＰＵにより実行される。
【００３４】
タッチパネルは、入力手段及び出力手段の一例である。タッチパネルには、アプリケーションソフトの命令に応じて、グラフィックやユーザが情報を入力するための入力フォームなどが出力（表示）される。また、ユーザは、タッチパネルをタップしたりフリックしたりする動作を行うことで、タップしたという情報や文字入力支援アプリケーションを介した文字情報をスマートフォン１（電子献立プログラム）に入力することが可能となっている。
【００３５】
通信手段は、無線ＬＡＮ（ＩＥＥＥ８０２．１１ａ／ｂ／ｇ／ｎなど）や３Ｇ通信規格（第３世代移動通信システム（ＩＭＴ−２０００））に準じたものである。この通信手段を介して電子献立サーバ３０とデータの送受信が可能となっている。
【００３６】
本実施形態に係る電子献立プログラムは、フラッシュメモリに読み出し及び実行が可能な状態で記憶されている（インストールされている）。
【００３７】
図２は、電子献立プログラム及び電子献立サーバの機能ブロック図である。電子献立サーバ３０は、献立情報及び広告情報を記憶したデータベース３１を備えている。
【００３８】
献立情報とは、料理の材料リスト及び調理方法を含む料理に関する情報である。材料リストとは、料理に用いられる材料の名称、必要量・個数を含む情報である。調理方法は、材料リストから料理を作るための一連の作業を表した情報である。また、献立情報には、例えば、料理の名称、分類や料理の栄養を表す情報、料理の画像、調理作業を撮影した動画などが含まれていてもよい。表１に、献立情報を例示する。
【００３９】
【表１】
2014010716.tif 000003
【００４０】
献立IDは、献立情報を特定する一意な識別子である。画像は、任意の形式（JPEG、PNG等）で保持されている。データベース３１は、献立情報を追加、削除、変更することが可能となっており、各種の献立情報が多数登録されている。また、献立IDや名称などのキーワードによってデータベース３１に登録された献立情報を検索することが可能となっている。
【００４１】
広告情報とは、広告主によって提供される広告文、商品・サービスに関する画像や動画、広告に関する情報へのＵＲＬを含む情報である。また、広告情報は、献立情報で表される料理に関係するものとしてもよい。表２に、広告情報を例示する。
【００４２】
【表２】
2014010716.tif 000004
【００４３】
広告IDは、広告情報を特定する一意な識別子である。関係する献立IDとは、その広告IDに関係づけられた献立IDを表している。これにより、広告IDが「１０００」で特定される「特選丸大豆しょうゆ」に関する広告情報は、献立IDが「１」で特定される献立情報で表される料理「にくじゃが」に関係するものであることが、データベース３１で表現することができる。
【００４４】
また、データベース３１は、広告情報を追加、削除、変更することが可能となっており、各種の広告情報が多数登録されている。また、広告IDや名称などのキーワードによってデータベース３１に登録された広告情報を検索することが可能となっている。
【００４５】
電子献立サーバ３０は、電子献立プログラム１０とデータを送受信するためのプログラムがインストールされている。該プログラムは、電子献立サーバ３０に、献立提供機能３２と広告提供機能３３とを実現させるプログラムである。
【００４６】
献立提供機能３２は、献立情報の一覧を電子献立プログラム１０に送信したり、電子献立プログラム１０から献立IDや名称などのキーワードを受信し、これらに対応する献立情報をデータベース３１から検索し、その結果を電子献立プログラム１０に送信するものである。
【００４７】
広告提供機能３３は、広告情報の一覧を電子献立プログラム１０に送信したり、電子献立プログラム１０から広告IDや名称などのキーワードを受信し、これらに対応する広告情報をデータベース３１から検索し、その結果を電子献立プログラム１０に送信するものである。
【００４８】
電子献立プログラム１０は、スマートフォン１に、献立取得機能１１と、献立選択機能１２と、広告取得機能１３と、献立表示機能１４と、履歴作成機能１５と、履歴表示機能１６とを実現させるプログラムである。
【００４９】
献立取得機能１１は、電子献立サーバ３０から献立情報を取得するものである。献立情報の取得は、電子献立サーバ３０から種々の条件に該当する献立情報を取得することができる。例えば、所定の日時以降に追加された献立情報や、特定の分類に属する献立情報や、特定の献立IDに該当する献立情報や、料理の名称、材料などを含む献立情報を条件とすることができる。献立取得機能１１は、このような条件を電子献立サーバ３０に要求し、電子献立サーバ３０は、そのような条件に該当する献立情報をデータベース３１から検索し、検索して得られた献立情報を献立取得機能１１に送信する。
【００５０】
また、献立取得機能１１は、取得した献立情報をＲＡＭやフラッシュメモリなどに記憶しておく。
【００５１】
献立情報を取得するタイミングは、任意に行うことができる。例えば、電子献立プログラム１０の起動時に行ってもよい。また、タッチパネルを介して上述したような種々の条件をユーザに入力させ、その条件が入力された際に、献立情報を取得してもよい。
【００５２】
献立選択機能１２は、ユーザが数ある献立情報のうち実際に作成するものを選ぶ、という献立を立てる行為を支援するものである。具体的には、後述する献立表示機能１４により、献立取得機能１１により取得した献立情報がタッチパネルに表示される。そして、献立選択機能１２は、タッチパネルに表示された献立情報のうちタッチパネルを介して選択された献立情報を被選択献立情報として取得する。献立情報を被選択献立情報として取得するとは、選択された献立情報が選択済みであると記憶することである。
【００５３】
広告取得機能１３は、電子献立サーバ３０から広告情報を取得するものである。広告情報の取得は、電子献立サーバ３０から種々の条件に該当する広告情報を取得することができる。例えば、所定の日時以降に追加された広告情報や、特定の広告IDに該当する広告情報や、広告文に特定のキーワードを含む広告情報を条件とすることができる。
【００５４】
また、詳細は後述するが、広告取得機能１３がユーザにより選択された被選択献立情報の料理に関する広告情報を取得する際には、被選択献立情報の献立IDに関係づけられた広告情報を条件とする。
【００５５】
広告取得機能１３は、このような条件を電子献立サーバ３０に要求し、電子献立サーバ３０は、そのような条件に該当する広告情報をデータベース３１から検索し、検索して得られた広告情報を広告取得機能１３に送信する。
【００５６】
また、広告取得機能１３は、取得した広告情報をＲＡＭやフラッシュメモリなどに記憶しておく。
【００５７】
広告情報を取得するタイミングは、任意に行うことができる。例えば、電子献立プログラム１０の起動時に行ってもよい。また、タッチパネルを介して上述したような種々の条件をユーザに入力させ、その条件が入力された際に、広告情報を取得してもよい。
【００５８】
献立表示機能１４は、複数の献立情報を一覧表示したり、個別の献立情報を表示するなど、献立情報の表示を行うものである。さらに、献立表示機能１４は、被選択献立情報の材料リスト及び調理方法を個別に表示するものである。
【００５９】
材料リスト及び調理方法を個別に表示するとは、例えば、ユーザが材料リストの表示を選択した際には、材料リストのみを表示し、ユーザが調理方法の表示を選択した際には、調理方法のみを表示するような態様をいう（調理方法の記載において、調理対象として材料が記載されてもよい）。
【００６０】
献立表示機能１４は、材料リスト及び調理方法を表示することで、ユーザが作ろうとした料理に関して、実際に材料を購入することや調理をするという行為を支援する。
【００６１】
例えば、ユーザは、タッチパネルに表示された材料リストを確認しながら、肉や野菜などの材料の売り場で実際に材料を購入する。このように買い物の際に材料リストを表示することで、材料の買い忘れを防止することができる。また、ユーザは、タッチパネルに表示された調理方法を確認して、台所等で実際に調理をする。このように調理の際に調理方法を表示することで、被選択献立情報の材料リスト及び調理方法に則って、料理を作製することができる。
【００６２】
すなわち、献立表示機能１４は、ユーザが材料の買い物をする際にはそのときに必要な材料リストを表示し、ユーザが調理をする際にはそのときに必要な調理方法を表示する。このように、献立表示機能１４は、ユーザの行動に則して適切に被選択献立情報を表示するので、ユーザは、買い物をして料理を作るという行為を円滑に行うことができる。
【００６３】
さらに、献立表示機能１４は、広告情報とともに材料リストをタッチパネルに表示するものである。上述したように、ユーザが材料リストをタッチパネルに表示させているときは、材料の売り場である可能性が高い。すなわち、ユーザは、種々の商品を直ぐに購入できる状況ある。このような状況において、ユーザは材料リストとともに広告情報を見ることになるので、ユーザがその広告情報に係る商品やサービスを購入する可能性が高まる。このように、電子献立プログラム１０によれば、広告情報に係る商品やサービスの宣伝効果を高めることができる。
【００６４】
特に、材料リストとともに表示される広告情報が、被選択献立情報に関係するものであれば、その広告情報に係る商品やサービスを売り場で購入する可能性はさらに高まる。
【００６５】
このように、献立表示機能１４は、材料リストを見ながら売り場で材料を購入するという行動に着目し、この行動にあわせて広告情報を材料リストともにタッチパネルに表示する。これにより、広告情報の宣伝効果を高め、特に、被選択献立情報に関する商品の販売を促進することができる。
【００６６】
ここで、広告情報の表示態様は、材料リストを表示するタッチパネル内に表示するものであれば特に限定されない。例えば、タッチパネルの端の一部に表示してもよいし、タッチパネル全体に表示した後、一定時間経過後、またはユーザのフリック動作により消去してもよい。また、材料リストが一画面内に入らないためにスクロール表示にする場合があるが、広告情報は、このスクロール表示にしたがってタッチパネル内に表れたり消えたりしてもよいし、スクロールにかかわらずタッチパネル内に表示され続けてもよい。
【００６７】
履歴作成機能１５は、被選択献立情報を記録して献立情報履歴を作成するものである。献立情報履歴は、被選択献立情報に係る料理がいつ調理されたかを表す情報を含むものである。
【００６８】
履歴作成機能１５は、ユーザが料理を作る（作った）という行為に対応する機能である。このように被選択献立情報を履歴として記録することで、後に、過去に作った料理を考慮して次回の料理の選択することができる。
【００６９】
履歴作成機能１５は、例えば、ユーザがある献立情報を選択した際（被選択献立情報が決定された際）、これをフラッシュメモリなどに記録する。表３に献立情報履歴を例示する。
【００７０】
【表３】
2014010716.tif 000005
【００７１】
献立IDは、ユーザが被選択献立情報として決定した献立情報を特定するものである。登録日は、当該被選択献立情報が献立情報履歴として記録された日を表す。このように、ユーザは、表１に示した「にくじゃが」（献立ID「１」）を2012年6月30日に調理したことが記録される。
【００７２】
履歴表示機能１６は、献立情報履歴をタッチパネルに表示するものである。ユーザは、献立情報履歴により過去に作った料理を確認し、その料理を参考に次回の料理を選択することができる。このように履歴作成機能１５及び履歴表示機能１６は、新たな献立を立てる際に参考となる情報をユーザに与えることができる。
【００７３】
図３及び図４は、電子献立プログラム１０及び電子献立サーバ３０での処理の流れを表すフロー図である。
【００７４】
図３に示すように、ユーザがスマートフォン１を操作し、電子献立プログラム１０を起動する（ステップＳ１）。電子献立プログラム１０は、起動後、献立取得機能１１により、電子献立サーバ３０に対して献立情報の要求を行う（ステップＳ２）。取得する献立情報の条件は、上述したように任意に定めればよい。例えば、前回に取得した献立情報よりも新しい献立情報を電子献立サーバ３０に要求することができる。なお、献立情報の要求のタイミングは、起動後に限定されず、ユーザの指示を受けたときなど、任意のタイミングで行えばよい。
【００７５】
電子献立プログラム１０から献立情報の要求を受けた電子献立サーバ３０は、献立情報の提供を行う（ステップＳ３）。具体的には、その要求（条件）に該当する献立情報をデータベース３１から検索し、その結果を電子献立プログラム１０に返す。
【００７６】
ステップＳ２〜Ｓ３での処理により、電子献立プログラム１０は、最新の献立情報を保持することになる。
【００７７】
一方、電子献立プログラム１０は、献立情報の一覧表示をさせる旨を表すメニューをタッチパネルに表示させておく。当該メニューをユーザが選択した際に（ステップＳ４）、献立表示機能１４により、献立情報の一覧がタッチパネルに表示される（ステップＳ５）。
【００７８】
図５に、献立情報の一覧表示を例示する。同図に示すように、タッチパネル２には、献立情報に含まれる画像がその分類ごとに表示されている。表示の態様は、同図に示したものに限定されない。また、一画面に収まらない場合には、スクロール表示してもよいし、複数画面に分割してもよい。後者の場合は、前後の画面・前の画面に移動するためのボタンを表示し、各画面に表示される献立情報を閲覧できるようにする。
【００７９】
次に、図４に示すように、ユーザは、図５に示したような献立情報の一覧から、作ろうとする献立情報を選択する（ステップＳ６）。もちろん、上記献立情報の一覧から選択する場合に限定されない。例えば、ユーザが特定のキーワードを入力し、そのキーワードに該当する献立情報を献立取得機能１１に取得させ、ユーザはその結果の中から献立情報を選択してもよい。
【００８０】
このように献立情報が選択されたら、献立選択機能１２は、当該献立情報を被選択献立情報として記憶する（ステップＳ７）。図６に被選択献立情報の表示例を示す。にくじゃがに関する献立情報が選択されたものとする（被選択献立情報として記憶された）。図６には、被選択献立情報の料理の名称や画像が表示されている。
【００８１】
また、「買い物に行く」「調理する」というメニューが表示されており、前者を選択すると材料リストの表示が行われ、後者を選択すると調理方法の表示が行われる。
【００８２】
図４に戻り、ユーザが実際に買い物に行くとする。このとき、ユーザは図６に示した「買い物に行く」メニューを選択する（ステップＳ８）。
【００８３】
当該メニューが選択された際、電子献立プログラム１０は、広告取得機能１３により、電子献立サーバ３０に広告情報の要求を行う（ステップＳ９）。ここでは、にくじゃがに関する被選択献立情報（献立ＩＤ「１」）に関係づけられた広告情報を要求する。
【００８４】
電子献立サーバ３０は、要求された広告情報をデータベース３１から検索し、その結果として得られた広告情報の提供を行う（ステップＳ１０）。具体的には、献立ＩＤ「１」を含む広告情報として、広告ＩＤが「１０００」である広告情報（表２参照）を電子献立プログラム１０に送信する。
【００８５】
電子献立サーバ３０から広告情報を受け取った電子献立プログラムは、献立表示機能１４により、被選択献立情報に含まれる材料リスト及び広告情報の表示を行う（ステップＳ１１）。図７に、材料リスト及び広告情報の表示例を示す。
【００８６】
同図に示すように、タッチパネル２には、中央部に材料リストに含まれる各種材料３の名称および数量がリスト状に表示されている。
【００８７】
また、各材料の左側には、チェックボックス４が表示されている。チェックボックス４は、ユーザのタップによりチェックのオン・オフが可能となっている。このチェックボックス４は、ユーザが牛肉を買い物かごに入れたときにオンにするために用いる。このように材料が選択されたことは、チェックボックスで表されるので、材料の購入忘れを防止することができる。
【００８８】
タッチパネル２の下部には、広告情報５が表示されている。ここでは、広告情報５（表２参照）に含まれる広告文が表示されている。また、広告情報５をクリックすると、その広告情報５に含まれるＵＲＬで特定される情報にウェブブラウザ等でアクセスすることが可能となっている。なお、特に図示しないが、広告情報５には、画像や動画を表示してもよい。
【００８９】
このように、電子献立プログラム１０（献立表示機能１４）は、被選択献立情報に係る材料リストとともに広告情報を表示する。ここでは、材料リストとして、しょうゆが含まれている。本実施形態では、電子献立プログラム１０及び電子献立サーバ３０では、そのしょうゆに関する広告情報が選択される。したがって、材料リストに「しょうゆ」が表示されるとともに、そのしょうゆに関する広告として「特選丸大豆しょうゆ」も表示される。
【００９０】
しょうゆが含まれる材料リストを見ながら売り場で材料を購入するという状況において、特選丸大豆しょうゆに関する広告がユーザに与える影響は多大なものである。ユーザは、にくじゃがを作るための材料を買いそろえるために売り場に来ているのであるから、しょうゆの購入に際して、広告にある「特選丸大豆しょうゆ」を購入する可能性は高まる。
【００９１】
このように、ユーザが売り場で材料を購入するという行動にあわせて、広告表示を材料リストともにタッチパネルに表示することで、広告情報の宣伝効果を高めることができる。特に、被選択献立情報に関する商品の販売を促進することができる。
【００９２】
図４に戻り、ユーザが調理をするとする。このとき、ユーザは図６に示した「調理する」メニューを選択する（ステップＳ１２）。
【００９３】
当該メニューが選択された際、電子献立プログラム１０は、献立表示機能１４により、被選択献立情報に含まれる調理方法の表示を行う（ステップＳ１３）。図８に、調理方法の表示例を示す。
【００９４】
同図に示すように、タッチパネル２には、調理方法の工程ごとにその内容や画像が表示されている。調理方法は、調理の段階ごとに細分された複数の工程から構成されている。表１の例では、調理方法は、「１．材料を切る」「２．鍋で牛肉を炒める」「３．・・・」のように複数の工程から構成されている。
【００９５】
献立表示機能１４は、これらの工程を順次タッチパネルに表示する。例えば、各工程の表示と共に前後の工程に移動するためのボタンを表示する。そして、そのボタンがユーザに選択されたときに、該当する工程を表示する。
【００９６】
例えば、図８（ａ）は、最初の工程を表示するものである。ユーザは、同図の工程を見て、それにしたがって材料を切る。そして、「次へ」のボタンを選択する。図８（ｂ）に示すように、献立表示機能１４は、それにしたがって次の工程を表示する。ユーザは、同図の工程を見て、牛肉を炒めるなどの作業を行うことができる。このように、ユーザは、タッチパネルに表示された調理方法を確認して、被選択献立情報の材料リスト及び調理方法に則って、料理を作製することができる。
【００９７】
なお、各工程の移動は、ボタンによるものに限定されない。例えば、音声認識により得られた音声情報が特定の語であることを条件に次の工程をタッチパネルに表示するようにしてもよい。音声認識は、スマートフォン１に設けられた音声入力装置（マイク）を通じて音声を得て、それを文字情報として得ることができるものである。この音声認識には公知の技術を用いることができる。
【００９８】
図９に、音声認識により調理方法を表示するフローを示す。同図に示すように、まず、献立表示機能１４は、最初の工程を表示する（ステップＳ２０）。次に、音声認識により認識した音声が特定の語（例えば、「次」など）である場合（ステップＳ２１；Ｙｅｓ）、次の工程があることを条件に（ステップＳ２２；Ｙｅｓ）、その工程を表示する（ステップＳ２０）。以降これらのステップを繰り返す。そして、次に表示する工程がなくなったら（ステップＳ２２；Ｎｏ）、調理方法の表示を終了する。また、音声が特定の語でない場合（ステップＳ２１；Ｎｏ）、音声入力があるまで待機する（ステップＳ２３）。
【００９９】
このように、調理方法は音声により各工程が順次表示される。これにより、ユーザは、各工程を閲覧するために調理の手を休めてスマートフォン１を手で操作する必要がなく、調理に専念することができる。
【０１００】
特に、スマートフォン１のようにタッチパネルのサイズが限られる場合、タッチパネルに全ての調理方法を表示すると閲覧しにくい。このため、必然的に、調理方法を複数ページに分割したり、スクロール表示しなければならない。したがって、手作業で複数ページの移動を行ったり、スクロールを行うと、調理の妨げになり得る。
【０１０１】
しかしながら、電子献立プログラム１０によれば、音声認識により各工程を順次表示することができるので、スマートフォンに表示された調理方法を確認しながら、スマートフォンの操作に煩わされることなく調理に専念することができる。
【０１０２】
なお、各工程の表示は、必ずしも別画面で行わなくてもよい。すなわち、調理方法の全行程を一画面に表示してもよい。また、複数工程を一画面に表示してもよい。例えば、全部で１〜４の工程からなる調理方法を表示する際に、１〜２を最初の画面に表示し、３〜４を次の画面に表示してもよい。
【０１０３】
次に、献立情報履歴の作成・表示のフローについて説明する。図１０は、献立情報履歴の作成・表示に関するフローである。ユーザが献立情報のうちいずれかを選択する（ステップＳ３０）。これにしたがって、電子献立プログラム１０は、被選択献立情報を記録する（ステップＳ３１）。ここまでの処理は、図４〜図５に示した被選択献立情報の記憶と同様である。
【０１０４】
電子献立プログラム１０は、履歴作成機能１５により、被選択献立情報を献立情報履歴として記憶する（ステップＳ３２）。具体的には表３に示したようにフラッシュメモリ等に記憶する。
【０１０５】
一方、特に図示しないが、電子献立プログラム１０は、献立情報履歴を閲覧するためのメニューを作成しておく。そして、ユーザが献立情報履歴を閲覧するために当該メニューを選ぶ（ステップＳ３３）。次に、電子献立プログラム１０は、フラッシュメモリ等に記憶した献立情報履歴をタッチパネルに表示する（ステップＳ３４）。図１１に、献立情報履歴の表示例を示す。同図には、過去に選択した（調理した）被選択献立情報が登録日ごとに表示されている。このようにユーザは、過去に選択した被選択献立情報を確認して、次に作ろうとする献立を選ぶ際の参考にすることができる。
【０１０６】
以上に述べたように、本実施形態に係る電子献立プログラム１０は、ユーザが献立を立て、その献立に必要な材料を買い、料理を作り、過去の作った料理を考慮して次回の献立を立てるといったユーザの行動サイクルに則して、献立情報をユーザに与えるものである。すなわち、電子献立プログラム１０は、ユーザが献立を選択するとき、材料の買い物をするとき、調理をするときのそれぞれに適した献立情報を表示する。これにより、ユーザは、献立の選択から、買い物をして料理を作るという行動サイクルを円滑に行うことができる。
【０１０７】
さらに、電子献立プログラム１０は、広告情報とともに材料リストをタッチパネルに表示するものである。これにより、ユーザがその広告情報に係る商品やサービスを購入する可能性が高まるため、広告情報に係る商品やサービスの宣伝効果を高めることができる。
【０１０８】
また、広告情報は、材料リストとともに表示されるものであり、調理方法や献立一覧とはともに表示されていない。一般に、プログラムのどの画面においても広告情報が表示されると、ユーザは当該広告情報を煩わしく思うことが多い。このため、かえって、広告情報に係る商品・サービスにネガティブな印象を持たれる虞もある。
【０１０９】
しかしながら、広告情報の表示は、材料リストの表示の場合に限定することで、このような煩わしさを解消することができ、ユーザに広告情報が受け入れられやすい。ユーザが材料リストを確認しているときは、材料を購入する意思で売り場等にいるのであるから、そのような材料に関する広告情報を見ても煩わしいと感じないと考えられるからである。
【０１１０】
〈実施形態２〉
実施形態１では、広告情報は、被選択献立情報に関するものが選択されて表示されたが、このような態様に限定されない。例えば、献立情報履歴に基づいて広告情報を決定してもよい。献立情報履歴に基づいて広告情報を決定するとは、献立情報履歴として記録された献立情報のうち、直近に選択された料理や分類、材料などの各種キーワードや、比較的多く選択された料理や分類、材料などの各種キーワードを抽出し、該キーワードに対応する広告情報を取得表示することをいう。
【０１１１】
このような機能を実現するために、電子献立サーバ３０では、広告情報について、上述したようなキーワードを関連づけておく。表４に、このような広告情報を例示する。
【０１１２】
【表４】
2014010716.tif 000006
【０１１３】
電子献立プログラム１０は、例えば、献立情報履歴として記憶された料理の分類を集計する。ここで、最も多い分類が「和食」であったとする。このような場合、電子献立プログラム１０は、広告取得機能１３は、「和食」をキーワードとして電子献立サーバ３０に広告情報を要求する。
【０１１４】
電子献立サーバ３０は、データベース３１からキーワードに「和食」を含む広告情報を検索し、例えば、表４のような広告情報を電子献立プログラム１０に送信する。
【０１１５】
そして、広告情報を受け取った電子献立プログラム１０は、材料リストとともに該広告情報を表示する。
【０１１６】
このように、過去の献立情報履歴を分析し、これに関係する広告情報を表示するので、そのユーザの嗜好に合った商品やサービスに関する広告情報を提供することができる。ユーザの嗜好に合った広告情報を提供することで、ユーザの購買行動に結びつく可能性はさらに高まり、広告の宣伝効果を向上させることができる。
【０１１７】
〈実施形態３〉
実施形態１では、表１に示したように、献立情報には料理の栄養に関する情報が含まれている。したがって、献立情報履歴として記憶された被選択献立情報の栄養について分析すれば、ユーザの栄養摂取状態を把握することも可能である。
【０１１８】
本実施形態に係る電子献立プログラム１０は、献立情報履歴として記憶された被選択献立情報に含まれる栄養に基づいて献立情報をタッチパネルに表示する推奨献立表示機能をも備える。
【０１１９】
献立情報履歴として記憶された被選択献立情報に含まれる栄養に基づいて献立情報を表示するとは、献立情報履歴として記録された献立情報のうち、直近に選択された料理、一定期間内に選択された料理の栄養を集計し、その集計した栄養情報に対応する献立情報をタッチパネルに表示することをいう。
【０１２０】
このような機能を実現するために、電子献立サーバ３０では、栄養情報に関して判断するデータベースを構成しておく。例えば、直近で取得した一食あたりのカロリーが所定値を超えているなら、カロリーを取りすぎと判断して、低カロリー（例えば、300kcal以下）の献立情報を選択するようなデータベースを構成する。他にも、一定期間内に取得した献立に肉が多く含まれている場合には、野菜を多く含む献立情報を選択するようにデータベースを構成しておくなど、様々なデータベースを作成しておく。
【０１２１】
電子献立プログラム１０は、例えば、献立情報履歴として記憶された料理のカロリーを集計する。ここで、一食あたりのカロリーを算出し、その結果を電子献立サーバ３０に送信する。
【０１２２】
電子献立サーバ３０では、送信されたカロリーについて、データベースに照らし合わせて、献立情報を選択する。例えば、送信されたカロリーが所定値を超えているならば、低カロリーの献立情報として表５に示すような献立情報を電子献立プログラム１０に送信する。
【０１２３】
【表５】
2014010716.tif 000007
【０１２４】
そして、献立情報を受け取った電子献立プログラム１０は、当該献立情報を推奨する献立としてタッチパネルに表示する。
【０１２５】
このように、過去の献立情報履歴を分析してユーザの栄養摂取状態を把握し、それを改善するような献立情報をユーザに提供することができる。
【０１２６】
〈他の実施形態〉
実施形態１〜実施形態３においては、電子献立プログラム１０が動作するコンピュータとしてスマートフォン１を例に取り説明したが、このような態様に限定されない。コンピュータは、いわゆるデスクトップパソコンやノートパソコンなど一般的な情報処理機器であってもよい。この場合であっても、材料リストと共に表示される広告情報により、ユーザに商品の広告が行われ、後々、ユーザが商品を購入することを期待できる。
【符号の説明】
【０１２７】
１            スマートフォン
５            広告情報
１０          電子献立プログラム
１１          献立取得機能
１２          献立選択機能
１３          広告取得機能
１４          献立表示機能
１５          履歴作成機能
１６          履歴表示機能
３０          電子献立サーバ
３１          データベース
３２          献立提供機能
３３          広告提供機能
【図２】
2014010716.tif 000008
【図３】
2014010716.tif 000009
【図４】
2014010716.tif 000010
【図５】
2014010716.tif 000011
【図６】
2014010716.tif 000012
【図７】
2014010716.tif 000013
【図８】
2014010716.tif 000014
【図９】
2014010716.tif 000015
【図１０】
2014010716.tif 000016
【図１１】
2014010716.tif 000017
【図１】
2014010716.tif 000018